(57)【要約】【課題】包装袋から商品を取り出した後の再度の収容を容易に行なえるようにし、複数回の使用を可能にする包装袋を提供する。【解決手段】包装袋Ａは、正面シート２と背面シート３との間に形成された収容室５の上部に、商品を収容するための開口部４が形成され、前記背面シート３の上部には開口部４を開閉する蓋６が形成された袋体１と、基材８の表面と裏面に粘着剤層９，１０が形成され、裏面の第２粘着剤層１０は前記蓋６に貼着し、表面の第１粘着剤層９を前記正面シート２に貼着することで前記開口部４を封緘する粘着テープ７とを備え、該粘着テープ７は基材８の裏面に第２粘着剤層１０と平行して非粘着剤層１２が形成され、粘着テープ７を正面シート２に貼着した後に蓋６を引き剥がすと、粘着テープ７は正面シート２に貼着されたままで、蓋６が粘着テープ７から離されるようにした。【選択図】　図４
2004043017.tif 000002
【特許請求の範囲】
【請求項１】
正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは基材の裏面に第２粘着剤層と平行して非粘着剤層が形成され、粘着テープを正面シートに貼着した後に蓋を引き剥がすと、粘着テープは正面シートに貼着されたままで、蓋が粘着テープから離されるようにしたことを特徴とする包装袋。
【請求項２】
前記粘着テープは、基材の裏面下側に第２粘着剤層が形成され、該第２粘着剤層の上側に非粘着剤層が形成されたことを特徴とする請求項１記載の包装袋。
【請求項３】
前記粘着テープは、基材の裏面全面に第２粘着剤層が形成され、該第２粘着剤層の一部に帯状の被覆テープを接着することで、非粘着剤層が形成されたことを特徴とする請求項１又は２記載の包装袋。
【請求項４】
正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは基材の表面に粘着力の強い第１粘着剤層が形成され、裏面に該第１粘着剤層より粘着力の弱い第２粘着剤層が形成され、粘着テープを正面シートに貼着した後に蓋を引き剥がすと、粘着テープは正面シートに貼着されたままで、蓋が粘着テープから離されるようにしたことを特徴とする包装袋。
【請求項５】
正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、前記袋体の正面シート表面にはコロナ処理を施し、粘着テープを正面シートに貼着した後に蓋を引き剥がすと、粘着テープは正面シートに貼着されたままで、蓋が粘着テープから離されるようにしたことを特徴とする包装袋。
【請求項６】
前記粘着テープの第１粘着剤層には剥離テープを貼着し、該剥離テープは第１粘着剤層より縦長にしてつまみ部を形成したことを特徴とする請求項１乃至５のいずれかに記載の包装袋。
【請求項７】
前記袋体と剥離テープは異なる色としたことを特徴とする請求項６記載の包装袋。
【発明の詳細な説明】
【０００１】
【発明の属する技術分野】
本発明は、衣類や印刷物又は日用品等の商品を収容し、再使用が可能な包装袋に関するものである。
【０００２】
【従来の技術】
一般に、衣類や印刷物又は日用品等の商品を店舗で陳列して販売したり、宅配便で配達する場合は、包装袋の内部に商品を収容している。このように商品を収容するのに便利な包装袋として公知のものに、図１０及び図１１のものがある。この包装袋について簡単に説明すると、包装袋４０は商品を収容するため上部に開口した開口部４１の上部に蓋４２が形成されており、開口部４１を封緘するための粘着テープ４３は蓋４２に貼着し、表面全体には粘着剤が塗布された粘着剤層４４が形成されており、該粘着剤層４４を覆うように、粘着性維持のため剥離テープ４５が重ね合わせて貼着されている。
【０００３】
この粘着テープ４３は商品を開口部４１から収容した後に、剥離テープ４５を粘着剤層４４から引き剥がして廃棄し、包装袋４０を開口部４１より下部の適宜の位置で上下に折り曲げ、包装袋４０の表面に対し粘着テープ４３の粘着剤層４４を貼着することにより、開口部４１を封緘するものである。
【０００４】
そして、商品を包装袋から取り出すには、蓋４２を包装袋４０の表面から引き剥がすように引っ張ると、図１１に示すように粘着テープ４３は蓋４２に貼着されたままの状態で、包装袋４０の表面から引き離され、開口部４１は開封される。
【０００５】
次に、例えば包装袋４０から取り出した商品を再度包装袋４０に収容するには、図１１に示すように蓋４２には粘着テープ４３の粘着剤層４４が露出しているので、商品を開口部４１から収容した後に、粘着テープ４３の粘着剤層４４を包装袋４０の表面に粘着して、開口部４１を封緘するものである。
【０００６】
上記のものにあっては、商品を包装袋に収容する際に、最初は粘着テープの粘着剤層は剥離テープで覆われているので露出しておらず、商品が粘着剤層に接触してしまうことはないが、商品を包装袋から取り出した後に、再度包装袋に収容して粘着テープを貼着する際には、粘着剤層は剥離テープで覆われておらず、粘着剤層に商品が接触して粘着してしまう恐れがあり、作業に手間取り、速やかに商品を収容することができないものであった。従って、包装袋は１度しか使用することができず、不経済であった。
【０００７】
また、図１２に示すように粘着テープ４３を包装袋４０の蓋４２ではなく、最初から包装袋４０の表面に粘着しておけば、粘着剤層４４が露出していても、商品を開口部４１から収容する際に粘着剤層４４に触れることはないが、粘着テープ４３の包装袋４０への粘着位置が決められてしまうと、蓋４２を粘着テープ４３に貼着する位置が決まってしまい、内部に収容される商品の寸法に応じて蓋４２の包装袋４０への貼着位置を調節することができず、商品が不安定な状態で収容される恐れがあった。
【０００８】
【発明が解決しようとする課題】
本発明が解決しようとする課題は、包装袋から商品を取り出した後の再度の収容を容易に行なえるようにし、複数回の使用を可能にする包装袋を提供することである。
【０００９】
【課題を解決するための手段】
本発明は請求項１では、包装袋は、正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは基材の裏面に第２粘着剤層と平行して非粘着剤層が形成され、粘着テープを正面シートに貼着した後に蓋を引き剥がすと、粘着テープは正面シートに貼着されたままで、蓋が粘着テープから離されるようにしたものである。
【００１０】
請求項２では、前記粘着テープは、基材の裏面下側に第２粘着剤層が形成され、該第２粘着剤層の上側に非粘着剤層が形成されたものである。
【００１１】
請求項３では、前記粘着テープは、基材の裏面全面に第２粘着剤層が形成され、該第２粘着剤層の一部に帯状の被覆テープを接着することで、非粘着剤層が形成されたものである。
【００１２】
請求項４では、包装袋は、正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは基材の表面に粘着力の強い第１粘着剤層が形成され、裏面に該第１粘着剤層より粘着力の弱い第２粘着剤層が形成され、粘着テープを正面シートに貼着した後に蓋を引き剥がすと、粘着テープは正面シートに貼着されたままで、蓋が粘着テープから離されるようにしたものである。
【００１３】
請求項５では、包装袋は、正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、前記袋体の正面シート表面にはコロナ処理を施し、粘着テープを正面シートに貼着した後に蓋を引き剥がすと、粘着テープは正面シートに貼着されたままで、蓋が粘着テープから離されるようにしたものである。
【００１４】
請求項６では、前記粘着テープの第１粘着剤層には剥離テープを貼着し、該剥離テープは第１粘着剤層より縦長にしてつまみ部を形成したものである。
【００１５】
請求項７では、前記袋体と剥離テープは異なる色としたものである。
【００１６】
【発明の実施の形態】
以下、本発明の実施の形態を図に基づいて詳細に説明する。
本発明は図１に示すように、第１実施例による包装袋Ａは内部に商品が収容される袋体１と、該袋体１の表面に貼着される粘着テープ７とを備えている。
【００１７】
前記袋体１は透明又は着色されたポリエチレン，ポリプロピレン，その他公知のプラスチックフィルム又は紙により縦長に形成され、正面シート２と背面シート３を前後に向かい合わせて左右側縁及び下辺に熱溶着又は接着でそれぞれシールを施して閉鎖し、上部には正面シート２と背面シート３の間に開口部４が形成され、内部に形成された収容室５には例えば衣類，カタログ、雑誌のような印刷物又は日用品等の商品が収容されるものである。前記背面シート３は正面シート２より上部に向けて縦長に延設することにより、開口部４に対して上部に蓋６が形成されている。なお、蓋は本実施例では背面シートを正面シートより上部に延設して形成されているが、背面シートと別体で別素材のものを背面シートの上部に結合してもよい。
【００１８】
前記蓋６には全幅にわたり帯状の粘着テープ７が貼着されている。該粘着テープ７は図２に示すように、基材８の表面全面に粘着剤が塗布された第１粘着剤層９が形成され、基材８の裏面には粘着剤が塗布された第２粘着剤層１０と、該第２粘着剤層１０の上部で粘着剤が塗布されていない帯状の非粘着剤層１２とが平行して形成されている。そして第１粘着剤層９の全面を覆うようにして剥離テープ１３が貼着されている。なお、非粘着剤層は第２粘着剤層の上部だけでなく、下部にも形成してよい。また、粘着テープの形状は本実施例のように横長の帯状だけでなく、四角形，三角形，円形，楕円形，その他自由に変更可能である。
【００１９】
前記基材８は例えばプラスチックフィルム，不織布，合成紙等の粘着剤を塗布するのに適した周知の材料からなり、厚さに特に制限はなく、両面全体に粘着剤が塗布されるものである。
【００２０】
前記第１粘着剤層９及び第２粘着材層１０は、例えばゴム系，アクリル系の感圧性粘着剤が塗布されている。
【００２１】
前記第２粘着剤層１０の一部には帯状の被覆テープ１１を貼着されている。該被覆テープ１１は、第２粘着剤層１０の上端部で幅方向全体に帯状に接着されるものであり、露出する表面は粘着性を備えていない非粘着剤層１２であり、例えば従来から公知であるテアテープ又はその他の合成樹脂製フィルム等が接着されている。このように第２粘着剤層１０の一部に被覆テープ１１を接着することにより、基材８の裏面には第２粘着剤層１０と非粘着剤層１２とが上下に平行して形成される。なお、第２粘着剤層の一部には帯状の被覆テープに代えて例えばインキ等を塗布し、該インキ等により非粘着剤層としてもよい。
【００２２】
前記剥離テープ１３は第１粘着剤層９の全体に貼着して覆い、粘着剤にごみ等が付着して粘着機能が損なわれないように保護するものであり、プラスチックフィルム又は紙等が使用され、前記袋体１と異なる色となるように着色することで、袋体１と識別可能として容易に引き剥がせるようにしている。また、剥離テープ１３の裏面には第１粘着剤層９との剥離を容易にするために、全面に凹凸を施したり、シリコン又はシリコン系剥離剤を塗布することが望ましい。さらに剥離テープ１３は第１粘着剤層９より下部に延長するように形成することで、第１粘着剤層９より縦長で、はみ出る端部に、指先で摘んで容易に引き剥がすことのできるつまみ部１３ａが帯状に形成されている。
【００２３】
図１乃至図４により、本発明の第１実施例による包装袋Ａの封緘及び開封について説明する。粘着テープ７は包装袋１の製作時に、第２粘着剤層１０を介して蓋６に貼着される。この状態で商品を包装袋Ａの開口部４から収容室５に収容し、開口部４を封緘するには、商品を開口部４から収容した後に、剥離テープ１３の下部に形成されたつまみ部１３ａを指先で摘んで引っ張り、第１粘着剤層９から引き剥がす。この時、剥離テープ１３は袋体１と異なる色としているので、容易に識別することができる。次に袋体１を収容室５に収容された商品の寸法に合わせて適宜の位置で平行方向に折り曲げ、図３に示すように、第１粘着剤層９の全体を指先で押圧して、正面シート２の表面に押し付けて貼着すれば、開口部４は封緘される。
【００２４】
包装袋Ａから商品を取り出すには、蓋６を引き剥がす。この場合、粘着テープ７は基材８の裏面に、粘着剤が塗布された第２粘着剤層１０と、粘着剤が塗布されていない帯状の非粘着剤層１２とが上下に平行して形成されているため、第１粘着剤層９の正面シート２への粘着面積に比較して第２粘着剤層１０の蓋６への粘着面積は少なく、しかも粘着テープ７の下部の水平方向に、粘着剤が塗布されていない非粘着剤層１２が存在し、蓋６を粘着テープ７から引き剥がす際に、最初に蓋６の下部が粘着テープ７の非粘着剤層１２と上下に重なり合うところからめくり上がるので、図４に示すように粘着テープ７は袋体１に貼着された状態のままで、蓋６が粘着テープ７から離される。
【００２５】
以上のように本発明の包装袋は、使用前には袋体の蓋に貼着された粘着テープは、開口部の封緘のため袋体の前側に貼着した後に、蓋を引き剥がすと、粘着テープは蓋から袋体の正面シートに移動する。従って再度商品を開口部から収容する際に、蓋には粘着テープが存在しないので、商品が粘着テープの粘着剤層に付着してしまうことがなく、スムーズに収容することができるものである。なお、再度商品を収容する際に、粘着テープの袋体への粘着位置を調節することはできないが、商品が同一であれば粘着位置も同一となるので、適切な位置で封緘することができる。従って、包装袋の複数回の使用が可能であり、例えば本発明の包装袋を宅配便に使用すると、配達後に利用者が商品を返品する場合に、再度使用することができ、返品用の包装袋を別に用意する必要がなく、経済的に使用できる。
【００２６】
図５は第２実施例による包装袋であり、この実施例の包装袋Ｂによる粘着テープ７ａは、基材８ａの上端部を残して第２粘着剤層１０ａを形成し、上端部には粘着剤を塗布されない非粘着剤層１２ａを第２粘着剤層１０ａに沿って平行方向に形成している。なお、粘着テープの形状は略四角形として、一枚の包装袋に複数個貼着している。
【００２７】
このように基材８ａの一部には粘着剤を塗布しないようにして非粘着剤層１２ａを形成することにより、基材８ａの裏面には第２粘着剤層１０ａと非粘着剤剤層１２ａとが形成されるので、第１粘着剤層９ａを袋体１の正面シート２に貼着した後に、蓋６を袋体１から引き剥がす際に、非粘着剤層１２ａと向かい合うところからめくり上がり、粘着テープ７ａは正面シート２に貼着された状態のままで、蓋６のみが離される。
【００２８】
図６は第３実施例による包装袋であり、この実施例の包装袋Ｃによる粘着テープ７ｂは、基材８ｂの両側に形成される粘着剤層は同一形状であり、粘着剤層の粘着力を異なるようにしたものであり、粘着力が異なる２種類の粘着剤を用意し、第１粘着剤層９ｂには粘着力が強力な粘着剤を基材８ｂに塗布し、第２粘着剤層１０ｂには粘着力が弱い粘着剤を基材８ｂに塗布し、第１粘着剤層９ｂの方が第２粘着剤層１０ｂより強力に貼着できるようにしている。
【００２９】
従って粘着テープ７ｂを袋体１の正面シート２に貼着すると、第１粘着剤層９ｂにより正面シート２に強力に貼着され、蓋６を引き剥がす際には、粘着テープ７ｂは正面シート２に貼着したままの状態で、蓋６が粘着テープ７ｂから離される。
【００３０】
図７乃至図９に示す第４実施例による包装袋Ｄでは、粘着テープとして従来から公知である両面テープを使用し、袋体は粘着テープが貼着される正面シートの表面にコロナ処理を施したものである。
【００３１】
先の各実施例の包装袋では、粘着テープとして従来から公知である両面テープとは異なる構成を備えたテープを使用していたが、本実施例の包装袋では、従来から公知の両面テープをそのまま使用できるものである。
【００３２】
粘着テープ７ｃは図８に示すように、基材８ｃの表面全面に粘着剤が塗布された第１粘着剤層９ｃが形成され、基材８ｃの裏面全面には粘着剤が塗布された第２粘着剤層１０ｃが形成されている。そして第１粘着剤層９ｃの全面を覆うようにして、袋体１ａとは異なる色の剥離テープ１３が貼着されている。なお、本実施例の粘着テープ７ｃは、第１粘着剤層９ｃと第２粘着剤層１０ｃの表面積は同一である。
【００３３】
袋体１ａの構成は前記実施例と同一であり、同一の符号を付してその詳細な説明は省略するが、正面シート２ａと背面シート３ａの表面にはコロナ処理が施されており、粘着テープ７ｃが貼着される蓋６ａの表面に対しては、コロナ処理は施さないものである。コロナ処理は電極とロールとの間に隙間を設け、この隙間の間に高電圧をかけて放電を起こさせ、この隙間の間に袋体のシートを通過させて、シート表面にコロナ放電を発生させるものであり、コロナ処理を施すと、シート表面に微細な凹凸が無数に形成され、粘着テープの粘着剤層との粘着強度が大幅に向上するものである。
【００３４】
一般的に包装袋の袋体は、印刷用インキの接着力を向上させるために、前処理としてシートの表面にコロナ処理を施すことがあるが、コロナ処理が施されたシートは印刷用インキとの接着力が向上するだけでなく、粘着テープの接着剤との粘着力が大幅に向上する性質を備えているものである。そこで、粘着テープの両粘着剤層の粘着力が同一である場合に、粘着テープの第２粘着剤層をコロナ処理が施されていない蓋に粘着した後に、粘着テープの第１粘着剤層をコロナ処理が施されていないシートの表面に貼着し、次に蓋を引き剥がすと、この粘着テープは蓋と共にシートの表面から離れるものであるが、本実施例の包装袋では、袋体の正面シート表面にコロナ処理が施されているため、粘着テープの第１粘着剤層が、コロナ処理が施された正面シート表面に粘着すると強力に粘着し、その粘着力は、粘着テープの第２粘着剤層とコロナ処理が施されていない蓋との粘着力より強く、蓋を引き剥がすと粘着テープは袋体の正面シートに粘着された状態のままで、蓋のみが粘着テープから引き剥がされるものである。従って再度商品を袋体の開口部から収容する際に、蓋には粘着テープが存在しないので、商品が粘着テープの粘着剤層に付着してしまうことがなく、スムーズに収容することができるものである。
【００３５】
【発明の効果】
本発明の包装袋は、粘着テープを袋体の正面シートに貼着した後に、商品を取り出すため蓋を引き剥がすと、粘着テープは正面シートに貼着されたままとなるように蓋から袋体に移動され、包装袋を再度使用する際に蓋には粘着剤が露出しないので、商品の開口部からの収容を円滑に行なうことができる。従って、複数回の使用が可能であり、例えば本発明の包装袋を宅配便に使用すると、返品をする際に再度使用することができ、返品用の包装袋を別に用意する必要がなく、経済的に使用できる。
【００３６】
さらに剥離テープは袋体と異なる色としたので、剥離テープを容易に識別することができ、粘着テープからの引き剥がしを容易に行なうことができる。
【図面の簡単な説明】
【図１】本発明の第１実施例による包装袋の斜視図である。
【図２】粘着テープの裏側からの斜視図である。
【図３】図１の包装袋において、粘着テープを正面シートに粘着させた状態の説明図である。
【図４】図３の包装袋において、蓋を粘着テープから引き剥がした状態の説明図である。
【図５】第２実施例による包装袋の斜視図である。
【図６】第３実施例による包装袋の斜視図である。
【図７】第４実施例による包装袋の正面図である
【図８】図７の包装袋の一部拡大断面図である。
【図９】図７の包装袋の蓋を開口部から開封した状態の説明図である。
【図１０】従来の包装袋の説明図である。
【図１１】図１０の包装袋の蓋を開口部から開封した状態の説明図である。
【図１２】他の従来技術の説明図である。
【符号の説明】
１，１ａ　　　　　　　　　　　　袋体
２，２ａ　　　　　　　　　　　　正面シート
３，３ａ　　　　　　　　　　　　背面シート
４　　　　　　　　　　　　　　　開口部
５　　　　　　　　　　　　　　　収容室
６，６ａ　　　　　　　　　　　　蓋
７，７ａ，７ｂ，７ｃ　　　　　　粘着テープ
８，８ａ，８ｂ，８ｃ　　　　　　基材
９，９ａ，９ｂ，９ｃ　　　　　　第１粘着剤層
１０，１０ａ，１０ｂ，１０ｃ　　第２粘着剤層
１１　　　　　　　　　　　　　　被覆テープ
１２，１２ａ，１２ｂ　　　　　　非粘着剤層
１３　　　　　　　　　　　　　　剥離テープ
１３ａ　　　　　　　　　　　　　つまみ部
Ａ，Ｂ，Ｃ，Ｄ　　　　　　　　　包装袋
【図１】
2004043017.tif 000003
【図２】
2004043017.tif 000004
【図３】
2004043017.tif 000005
【図４】
2004043017.tif 000006
【図５】
2004043017.tif 000007
【図６】
2004043017.tif 000008
【図７】
2004043017.tif 000009
【図８】
2004043017.tif 000010
【図９】
2004043017.tif 000011
【図１０】
2004043017.tif 000012
【図１１】
2004043017.tif 000013
【図１２】
2004043017.tif 000014
【手続補正書】
【提出日】平成15年6月19日(2003.6.19)
【手続補正１】
【補正対象書類名】明細書
【補正対象項目名】全文
【補正方法】変更
【補正の内容】
【発明の詳細な説明】
【特許請求の範囲】
【請求項１】正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは、基材の裏面に第２粘着剤層が形成され、該第２粘着剤層の上側に帯状の被覆テープを接着することで第２粘着剤層と平行して非粘着剤層が形成され、粘着テープを正面シートに貼着すると蓋の下部が粘着テープの非粘着剤層と上下に重なり合うことで、蓋を引き剥がすと粘着テープは正面シートに貼着されたままで、蓋が粘着テープから離されるようにしたことを特徴とする包装袋。
【発明の詳細な説明】
【０００１】
【発明の属する技術分野】
本発明は、衣類や印刷物又は日用品等の商品を収容し、再使用が可能な包装袋に関するものである。
【０００２】
【従来の技術】
一般に、衣類や印刷物又は日用品等の商品を店舗で陳列して販売したり、宅配便で配達する場合は、包装袋の内部に商品を収容している。このように商品を収容するのに便利な包装袋として公知のものに、図６及び図７のものがある。この包装袋について簡単に説明すると、包装袋４０は商品を収容するため上部に開口した開口部４１の上部に蓋４２が形成されており、開口部４１を封緘するための粘着テープ４３は蓋４２に貼着し、表面全体には粘着剤が塗布された粘着剤層４４が形成されており、該粘着剤層４４を覆うように、粘着性維持のため剥離テープ４５が重ね合わせて貼着されている。
【０００３】
この粘着テープ４３は商品を開口部４１から収容した後に、剥離テープ４５を粘着剤層４４から引き剥がして廃棄し、包装袋４０を開口部４１より下部の適宜の位置で上下に折り曲げ、包装袋４０の表面に対し粘着テープ４３の粘着剤層４４を貼着することにより、開口部４１を封緘するものである。
【０００４】
そして、商品を包装袋から取り出すには、蓋４２を包装袋４０の表面から引き剥がすように引っ張ると、図７に示すように粘着テープ４３は蓋４２に貼着されたままの状態で、包装袋４０の表面から引き離され、開口部４１は開封される。
【０００５】
次に、例えば包装袋４０から取り出した商品を再度包装袋４０に収容するには、図７に示すように蓋４２には粘着テープ４３の粘着剤層４４が露出しているので、商品を開口部４１から収容した後に、粘着テープ４３の粘着剤層４４を包装袋４０の表面に粘着して、開口部４１を封緘するものである。
【０００６】
上記のものにあっては、商品を包装袋に収容する際に、最初は粘着テープの粘着剤層は剥離テープで覆われているので露出しておらず、商品が粘着剤層に接触してしまうことはないが、商品を包装袋から取り出した後に、再度包装袋に収容して粘着テープを貼着する際には、粘着剤層は剥離テープで覆われておらず、粘着剤層に商品が接触して粘着してしまう恐れがあり、作業に手間取り、速やかに商品を収容することができないものであった。従って、包装袋は１度しか使用することができず、不経済であった。
【０００７】
また、図８に示すように粘着テープ４３を包装袋４０の蓋４２ではなく、最初から包装袋４０の表面に粘着しておけば、粘着剤層４４が露出していても、商品を開口部４１から収容する際に粘着剤層４４に触れることはないが、粘着テープ４３の包装袋４０への粘着位置が決められてしまうと、蓋４２を粘着テープ４３に貼着する位置が決まってしまい、内部に収容される商品の寸法に応じて蓋４２の包装袋４０への貼着位置を調節することができず、商品が不安定な状態で収容される恐れがあった。
【０００８】
【発明が解決しようとする課題】
本発明が解決しようとする課題は、包装袋から商品を取り出した後の再度の収容を容易に行なえるようにし、複数回の使用を可能にする包装袋を提供することである。
【０００９】
【課題を解決するための手段】
本発明は請求項１では、包装袋は、正面シートと背面シートとの間に形成された収容室の上部に、商品を収容するための開口部が形成され、前記背面シートの上部には開口部を開閉する蓋が形成された袋体と、基材の表面と裏面に粘着剤層が形成され、裏面の第２粘着剤層は前記蓋に貼着し、表面の第１粘着剤層を前記正面シートに貼着することで前記開口部を封緘する粘着テープとを備え、該粘着テープは、基材の裏面に第２粘着剤層が形成され、該第２粘着剤層の上側に帯状の被覆テープを接着することで第２粘着剤層と平行して非粘着剤層が形成され、粘着テープを正面シートに貼着すると蓋の下部が粘着テープの非粘着剤層と上下に重なり合うことで、蓋を引き剥がすと粘着テープは正面シートに貼着されたままで、蓋が粘着テープから離されるようにしたものである。
【００１０】
【００１１】
【００１２】
【００１３】
【００１４】
【００１５】
【００１６】
【発明の実施の形態】
以下、本発明の実施の形態を図に基づいて詳細に説明する。
本発明は図１に示すように、第１実施例による包装袋Ａは内部に商品が収容される袋体１と、該袋体１の表面に貼着される粘着テープ７とを備えている。
【００１７】
前記袋体１は透明又は着色されたポリエチレン，ポリプロピレン，その他公知のプラスチックフィルム又は紙により縦長に形成され、正面シート２と背面シート３を前後に向かい合わせて左右側縁及び下辺に熱溶着又は接着でそれぞれシールを施して閉鎖し、上部には正面シート２と背面シート３の間に開口部４が形成され、内部に形成された収容室５には例えば衣類，カタログ、雑誌のような印刷物又は日用品等の商品が収容されるものである。前記背面シート３は正面シート２より上部に向けて縦長に延設することにより、開口部４に対して上部に蓋６が形成されている。なお、蓋は本実施例では背面シートを正面シートより上部に延設して形成されているが、背面シートと別体で別素材のものを背面シートの上部に結合してもよい。
【００１８】
前記蓋６には全幅にわたり帯状の粘着テープ７が貼着されている。該粘着テープ７は図２に示すように、基材８の表面全面に粘着剤が塗布された第１粘着剤層９が形成され、基材８の裏面には粘着剤が塗布された第２粘着剤層１０と、該第２粘着剤層１０の上部で粘着剤が塗布されていない帯状の非粘着剤層１２とが平行して形成されている。そして第１粘着剤層９の全面を覆うようにして剥離テープ１３が貼着されている。
【００１９】
前記基材８は例えばプラスチックフィルム，不織布，合成紙等の粘着剤を塗布するのに適した周知の材料からなり、厚さに特に制限はなく、両面全体に粘着剤が塗布されるものである。
【００２０】
前記第１粘着剤層９及び第２粘着材層１０は、例えばゴム系，アクリル系の感圧性粘着剤が塗布されている。
【００２１】
前記第２粘着剤層１０の一部には帯状の被覆テープ１１を貼着されている。該被覆テープ１１は、第２粘着剤層１０の上端部で幅方向全体に帯状に接着されるものであり、露出する表面は粘着性を備えていない非粘着剤層１２であり、例えば従来から公知であるテアテープ又はその他の合成樹脂製フィルム等が接着されている。このように第２粘着剤層１０の一部に被覆テープ１１を接着することにより、基材８の裏面には第２粘着剤層１０と非粘着剤層１２とが上下に平行して形成される。
【００２２】
前記剥離テープ１３は第１粘着剤層９の全体に貼着して覆い、粘着剤にごみ等が付着して粘着機能が損なわれないように保護するものであり、プラスチックフィルム又は紙等が使用され、前記袋体１と異なる色となるように着色することで、袋体１と識別可能として容易に引き剥がせるようにしている。また、剥離テープ１３の裏面には第１粘着剤層９との剥離を容易にするために、全面に凹凸を施したり、シリコン又はシリコン系剥離剤を塗布することが望ましい。さらに剥離テープ１３は第１粘着剤層９より下部に延長するように形成することで、第１粘着剤層９より縦長で、はみ出る端部に、指先で摘んで容易に引き剥がすことのできるつまみ部１３ａが帯状に形成されている。
【００２３】
図１乃至図４により、本発明の第１実施例による包装袋Ａの封緘及び開封について説明する。粘着テープ７は包装袋１の製作時に、第２粘着剤層１０を介して蓋６に貼着される。この状態で商品を包装袋Ａの開口部４から収容室５に収容し、開口部４を封緘するには、商品を開口部４から収容した後に、剥離テープ１３の下部に形成されたつまみ部１３ａを指先で摘んで引っ張り、第１粘着剤層９から引き剥がす。この時、剥離テープ１３は袋体１と異なる色としているので、容易に識別することができる。次に袋体１を収容室５に収容された商品の寸法に合わせて適宜の位置で平行方向に折り曲げ、図３に示すように、第１粘着剤層９の全体を指先で押圧して、正面シート２の表面に押し付けて貼着すれば、開口部４は封緘される。
【００２４】
包装袋Ａから商品を取り出すには、蓋６を引き剥がす。この場合、粘着テープ７は基材８の裏面に、粘着剤が塗布された第２粘着剤層１０と、粘着剤が塗布されていない帯状の非粘着剤層１２とが上下に平行して形成されているため、第１粘着剤層９の正面シート２への粘着面積に比較して第２粘着剤層１０の蓋６への粘着面積は少なく、しかも粘着テープ７の下部の水平方向に、粘着剤が塗布されていない非粘着剤層１２が存在し、蓋６を粘着テープ７から引き剥がす際に、最初に蓋６の下部が粘着テープ７の非粘着剤層１２と上下に重なり合うところからめくり上がるので、図４に示すように粘着テープ７は袋体１に貼着された状態のままで、蓋６が粘着テープ７から離される。
【００２５】
以上のように本発明の包装袋は、使用前には袋体の蓋に貼着された粘着テープは、開口部の封緘のため袋体の前側に貼着した後に、蓋を引き剥がすと、粘着テープは蓋から袋体の正面シートに移動する。従って再度商品を開口部から収容する際に、蓋には粘着テープが存在しないので、商品が粘着テープの粘着剤層に付着してしまうことがなく、スムーズに収容することができるものである。なお、再度商品を収容する際に、粘着テープの袋体への粘着位置を調節することはできないが、商品が同一であれば粘着位置も同一となるので、適切な位置で封緘することができる。従って、包装袋の複数回の使用が可能であり、例えば本発明の包装袋を宅配便に使用すると、配達後に利用者が商品を返品する場合に、再度使用することができ、返品用の包装袋を別に用意する必要がなく、経済的に使用できる。
【００２６】
図５は第２実施例による包装袋であり、この実施例の包装袋Ｂによる粘着テープ７ａは、基材８ａの上端部を残して第２粘着剤層１０ａを形成し、上端部には粘着剤を塗布されない非粘着剤層１２ａを第２粘着剤層１０ａに沿って平行方向に形成している。なお、粘着テープの形状は略四角形として、一枚の包装袋に複数個貼着している。
【００２７】
このように基材８ａの一部には粘着剤を塗布しないようにして非粘着剤層１２ａを形成することにより、基材８ａの裏面には第２粘着剤層１０ａと非粘着剤剤層１２ａとが形成されるので、第１粘着剤層９ａを袋体１の正面シート２に貼着した後に、蓋６を袋体１から引き剥がす際に、非粘着剤層１２ａと向かい合うところからめくり上がり、粘着テープ７ａは正面シート２に貼着された状態のままで、蓋６のみが離される。
【００２８】
【００２９】
【００３０】
【００３１】
【００３２】
【００３３】
【００３４】
【００３５】
【発明の効果】
本発明の包装袋は、粘着テープを袋体の正面シートに貼着した後に、商品を取り出すため蓋を引き剥がすと、粘着テープは正面シートに貼着されたままとなるように蓋から袋体に移動され、包装袋を再度使用する際に、正面シートに粘着剤が露出し、蓋には粘着剤が露出しないので、商品の開口部からの収容を円滑に行なうことができる。従って、複数回の使用が可能であり、例えば本発明の包装袋を宅配便に使用すると、返品をする際に再度使用することができ、返品用の包装袋を別に用意する必要がなく、経済的に使用できる。
【００３６】
【図面の簡単な説明】
【図１】本発明の第１実施例による包装袋の斜視図である。
【図２】粘着テープの裏側からの斜視図である。
【図３】図１の包装袋において、粘着テープを正面シートに粘着させた状態の説明図である。
【図４】図３の包装袋において、蓋を粘着テープから引き剥がした状態の説明図である。
【図５】第２実施例による包装袋の斜視図である。
【図６】従来の包装袋の説明図である。
【図７】図６の包装袋の蓋を開口部から開封した状態の説明図である。
【図８】他の従来技術の説明図である。
【符号の説明】
１　　　　　　　袋体
２　　　　　　　正面シート
３　　　　　　　背面シート
４　　　　　　　開口部
５　　　　　　　収容室
６　　　　　　　蓋
７，７ａ　　　　粘着テープ
８，８ａ　　　　基材
９，９ａ　　　　第１粘着剤層
１０，１０ａ　　第２粘着剤層
１１　　　　　　被覆テープ
１２，１２ａ　　非粘着剤層
Ａ，Ｂ　　　　　包装袋
【手続補正２】
【補正対象書類名】図面
【補正対象項目名】図６
【補正方法】変更
【補正の内容】
【図６】
2004043017.tif 000015
【手続補正３】
【補正対象書類名】図面
【補正対象項目名】図７
【補正方法】変更
【補正の内容】
【図７】
2004043017.tif 000016
【手続補正４】
【補正対象書類名】図面
【補正対象項目名】図８
【補正方法】変更
【補正の内容】
【図８】
2004043017.tif 000017
【手続補正５】
【補正対象書類名】図面
【補正対象項目名】図９
【補正方法】削除
【補正の内容】
【手続補正６】
【補正対象書類名】図面
【補正対象項目名】図１０
【補正方法】削除
【補正の内容】
【手続補正７】
【補正対象書類名】図面
【補正対象項目名】図１１
【補正方法】削除
【補正の内容】
【手続補正８】
【補正対象書類名】図面
【補正対象項目名】図１２
【補正方法】削除
【補正の内容】